(57)【特許請求の範囲】
【請求項１】
走行機体に連結機構により機枠を連結し、該機枠に旧畦上に土を盛り上げる盛土機構を設け、該盛土機構の上方にカバー部材を設け、該盛土機構の進行方向後方位置に盛土を締圧整畦可能な整畦機構を設けてなり、上記整畦機構は畦の一方側面を回転整畦可能な側面整畦部及び畦の上面を回転整畦可能な上面整畦部をもつ回転整畦体からなり、該回転整畦体の回転軸線は畦の一方側面の側方から畦側へ斜め上方に向かう所定角度の上向き方向に配置され、上記回転整畦体の側面整畦部の外周面の外方端縁周部と上記カバー部材の後面との間からの盛土の逸失を防ぐ逸失防止板を設けて構成したことを特徴とする整畦機。
【請求項２】
上記回転整畦体の側面整畦部と上面整畦部とを着脱自在にさせる着脱機構を設けてなることを特徴とする請求項１記載の整畦機。
【発明の詳細な説明】
【０００１】
【発明の属する技術分野】
本発明は例えば畦の造成作業や修復作業等に用いられる整畦機に関するものである。
【０００２】
【従来の技術】
従来この種の整畦機としては、特開昭５１−１４１２１２号公報、実公昭５１−４７７８５号公報、実開昭５３−１０２４１１号公報、実開昭５３−２０３１６号公報、特開昭５１−１００４０９号公報、実開昭６０−１１９２０９号公報、実開昭６１−１７５９０５号公報、特開昭６１−４７１０３号公報、特開昭６１−２１２２０２号公報、実開昭６２−１５０７号公報、実開昭６１−１５８１０５号公報、実開平３−７９６０５号公報、実開平５−６０２０７号公報に示す構造のものが知られている。
【０００３】
これらの従来構造にあっては、走行機体に連結機構により機枠を上下動可能に連結し、機枠に盛土機構としての旧畦上に土を跳ね上げる回転ロータをその回転軸線を畦造成方向と平行又は交差する方向に設け、機枠に回転ロータの上方及び畦の上方にカバー部材を設け、回転ロータの進行方向後方位置に畦の上面及び畦の一方側面に合わせた形状の整畦体を設け、かつ該走行機体の動力取出軸を駆動源として整畦体を往復畦叩動作させるクランク式又は油圧式の畦叩機構を設け、走行機体を旧畦に沿って走行させ、回転ロータで圃場中の泥土を旧畦上に盛り上げ、この盛土を整畦体の畦叩き動作により叩き付けるようにして構成したものである。
【０００４】
また他の従来構造にあっては、整畦機構として、走行機体の動力取出軸を駆動源として整畦体を振動動作させる振動機構を設けて構成し、旧畦上に盛り上げられた盛土を整畦体の振動動作により締め付けるように構成したものもある。
【０００５】
【発明が解決しようとする課題】
しかしながら上記従来構造の場合、地方により相異する畦の土質や天候等の作業条件によっては、必ずしも満足した整畦作業を行い得ないことがあるという不都合を有している。
【０００６】
【課題を解決するための手段】
本発明はこのような不都合を解決することを目的とするもので、本発明のうち、請求項１記載の発明にあっては、走行機体に連結機構により機枠を連結し、該機枠に旧畦上に土を盛り上げる盛土機構を設け、該盛土機構の上方にカバー部材を設け、該盛土機構の進行方向後方位置に盛土を締圧整畦可能な整畦機構を設けてなり、上記整畦機構は畦の一方側面を回転整畦可能な側面整畦部及び畦の上面を回転整畦可能な上面整畦部をもつ回転整畦体からなり、該回転整畦体の回転軸線は畦の一方側面の側方から畦側へ斜め上方に向かう所定角度の上向き方向に配置され、上記回転整畦体の側面整畦部の外周面の外方端縁周部と上記カバー部材の後面との間からの盛土の逸失を防ぐ逸失防止板を設けて構成したことを特徴とする整畦機にある。
【０００７】
又、請求項２記載の発明は、上記回転整畦体の側面整畦部と上面整畦部とを着脱自在にさせる着脱機構を設けてなることを特徴とするものである。
【０００８】
【発明の実施の形態】
図１乃至図９は本発明の実施の形態例を示し、１は走行機体であって、この場合トラクタが用いられ、走行機体１の後部に三点リンク式の連結機構２により機枠３を上下動可能に連結している。
【０００９】
４は盛土機構であって、この場合進行方向と略平行な回転軸線をもつ回転ロータ５から構成され、この回転ロータ５はロータ胴５ａの外周に複数個のなた刃５ｂが放射状に突設され、ロータ胴５ａに取付軸５ｃを突設してなり、上記機枠３に回転ロータ５をその回転軸線を進行方向としての畦造成方向と略平行にして回転自在に取付け、機枠３に走行機体１に設けられた動力取出軸６により回転する主軸７を軸受し、回転ロータ５を主軸７より変向用ギヤ列８及びチェーン機構９を介して回転させ、回転ロータ５により畦際の圃場面の土を削出軌跡Ｎをもって削出して旧畦に向けて跳ね上げて盛り上げるように構成している。
【００１０】
１０はカバー部材であって、この場合機枠側カバー部材１０ａと畦側カバー部材１０ｂからなり、上記機枠３に取り付けられ、この場合機枠３に取り付けられた機枠側カバー部材１０ａに回転ロータ５のロータ軸５ｃが架設され、上記機枠側カバー部材１０ａは回転ロータ５の機枠側上方及び進行方向後面の機枠３側の略半分を覆う形状に形成され、又、畦側カバー部材１０ｂは回転ロータ５の畦側上方及び畦Ｗの上方を覆う形状に形成され、かつ畦側カバー部材１０ｂは機枠側カバー部材１０ａに土量調節機構Ｔにより畦の幅方向に移動調節自在に取り付けられ、この場合土量調節機構ＴはボルトＴ1、長穴Ｔ2及びナットＴ3により構成され、さらに畦側カバー部材１０ａの進行方向後面には盛土送出口１０ｃが形成され、盛土送出口１０ｃの上部にはゴム等の弾性カバー１０ｄがボルト１０ｅにより垂設され、かつ、畦側カバー部材１０ｂには畦の上面Ｗ1に摺接触して畦の起伏に倣って上下動自在な側部カバー部材１１を倣い機構Ｆにより取り付けられ、この倣い機構Ｆは畦側カバー部材１０ｂの畦側側面に対向一対のガイドローラＦ1を上下及び前後に計四組配置し、この対向一対の上下のガイドロールＦ1の間にガイド杆Ｆ2を上下動自在及び着脱自在に縦設し、この前後のガイド杆Ｆ2の下端部に側部カバー部材１１を枢着し、これにより側部カバー部材１１の底面を自重によって畦の上面Ｗ1に摺接して構成している。
【００１１】
１２は整畦機構であって、この場合回転整畦体１３を有し、この回転整畦体１３は畦Ｗの一方側面Ｗ2を回転整畦可能な側面整畦部１４及び畦Ｗの上面Ｗ1を回転整畦可能な上面整畦部１５を有してなり、かつこの場合上面整畦部１５は二個の側面整畦分体１５ａ・１５ｂからなり、この回転整畦体１３の回転軸線Ｐ1を畦Ｗの一方側面Ｗ1の側方から畦Ｗ側へ斜め上方に向かう所定角度θの上向き方向に配置し、回転整畦体１３を回転機構１６により回転軸線Ｐ1を中心として図中矢印方向に強制回転させるように構成している。
【００１２】
この場合、上記機枠３に後面下部にブラケット１７を突設し、ブラケット１７に軸受筒１８を長穴１９ａ及びボルト１９ｂからなる上下調節機構２０により取付け、この軸受筒１８に駆動軸２０を所定角度θをもって斜め上向き状に回転自在に軸受し、駆動軸２０と回転整畦体１３のロータ軸１３ａとを直結し、上記機枠３の後部側面に枠体２１を垂設し、枠体２１内にチェーン機構２２を設け、チェーン機構２２と主軸７とを歯車機構２３により伝導連結すると共にチェーン機構２２と駆動軸２０とを伸縮自在な自在継手２４により連結し、しかして、主軸７の回転により回転整畦体１３を図中矢印方向に回転させ、側面整畦部１４の回転すべり接触により畦Ｗの一方側面Ｗ2を締圧整畦すると共に上面整畦部１５の回転すべり接触により畦Ｗの上面Ｗ1を締圧整畦するように構成している。
【００１３】
２５は着脱機構であって、この場合、ロータ軸１３ａに六角軸部２５ａを形成し、側面整畦部１４に六角筒部２５ｂを形成し、上面整畦部１５の側面整畦分体１５ａ・１５ｂにそれぞれ六角筒部２５ｃ・２５ｄを形成し、六角軸部２５ａの基部側に固定カラー２５ｅをピン２５ｆにより固定し、六角軸部２５ａの先端部側に三個の挿通穴２５ｇを形成すると共に調節カラー２５ｈを嵌合し、調節カラー２５ｈと六角軸部２５ａとに着脱ピン２５ｊを選択的に挿通可能に構成している。
【００１４】
２６は逸失防止板であって、上記回転整畦体１３の側面整畦部１４の外周面の外方端縁周部の下方位置にして上記機枠側カバー部材１０ａから突設され、機枠側カバー部材１０ａの後面と下部回転整畦体１５の外方端縁周部との間の下側部分から進行方向後方への盛土の逸失を防ぐように構成したものである。
【００１５】
２７は反力受け機構であって、この場合上記機枠側カバー部材１０ａの後面に上下調節機構２８及び逃動機構２９により上下調節及び逃動自在に反力受け体３０を設けてなり、この反力受け体３０は板材にして進行方向前部が弧状部３０ａに形成され、この反力受け体２９の下部が畦の基部近傍の圃場Ｍ内に穿入し、整畦機構１２による整畦動作によって生ずる整畦反力を受け得ると共に過大な反力が掛かった場合には反力受け用バネ３１が圧縮しつつ機枠側が逃動するように設けて構成されている。
【００１６】
３２は安定部材であって、この場合車輪状に形成され、上記機枠３の後部に上下調節自在に支持杆３３を取付け、支持杆３３に上下摺動自在に摺動杆３４を取付け、摺動杆３４に安定部材３２を取付け、摺動杆３４を緩衝バネ部材３５により下方に弾圧し、圃場Ｍ上に接地して機枠３の安定走行を図るものである。
【００１７】
３６は削土機構であって、この場合カバー部材１０の進行方向前後方向に中間軸３７を軸受３７ａにより架設し、カバー部材１０に保持アーム３８を上記中間軸３７と同心上に上下揺動自在に枢着し、保持アーム３８の先端部にロータ軸３９を回転自在に取付け、ロータ軸３９に複数個のナギナタ状の刃体をもつ削土ロータ４０を取付け、保持アーム３８に削土ロータ４０の上方を覆うカバー４１を取付け、かつ保持アーム３８にボス部３８ａを形成し、ボス部３８ａに挿脱係止ピン３８ｂを挿脱自在に取り付けると共に挿脱係止ピン３８ｂが挿脱可能なボス部３８ｃを機枠３側に形成し、挿脱係止ピン３８ｂにより保持アーム４６を上方退避位置に保持可能に形成し、主軸７と中間軸３７との間にチェーン機構４２を架設し、中間軸３７と削土ロータ４０との間にチェーン機構３７を架設し、挿脱係止ピン３８ｂをボス部３８ｃより抜き外して保持アーム３８を自重により下方位置に回動させ、この状態で、上記盛土機構４の回転ロータ５の進行方向前方位置の旧畦の上面部分を主軸７により回転する削土ロータ４０によって削出軌跡Ｓをもって回転削土するように構成したものである。
【００１８】
４４は土漏れ防止板であって、上記カバー部材１０の機枠側カバー部材１０ａの下部に調節機構４５により取り付けられ、調節機構４５はボルト４４ａ及び長穴４４ｂからなり、土漏れ防止板４４の突出位置を調節することにより削出跡Ｎとの相対位置を調節するように構成している。
【００１９】
この実施の形態例は上記構成であるから、走行機体１を畦Ｗに沿って走行し、動力取出軸６を回転すると一方では盛土機構４の回転ロータ５が畦際の圃場泥土を旧畦上に連続的に跳ね上げて盛り上げ、カバー部材１０及び側部カバー部材１１は回転ロータ５の上方及び畦側方への泥土飛散を防止し、跳ね上げられた泥土は外方飛散を防がれて自重落下し、他方では整畦機構１２が駆動され、回転整畦体１３は回転機構１６により回転し、図５の如く、側面整畦部１４は畦Ｗの一方側面Ｗ2を締圧整畦すると共に上面整畦部１５は畦の上面Ｗ1を締圧整畦することができ、構造を簡素化することができると共に回転整畦体の回転接触により畦Ｗの一方側面Ｗ2及び畦Ｗの上面Ｗ1を円滑に締圧整畦することができ、かつ、回転整畦体の回転軸線Ｐ1を畦Ｗの一方側面Ｗ1の側方から畦Ｗ側へ斜め上方に向かう所定角度θの上向き方向に配置しているので、回転整畦体の回転軸線を水平方向に配置した構造と対比すると、回転整畦体１３の進行方向前側の外周面によりなされる畦Ｗの一方側面Ｗ2への土の押し付け送り長さを長くすることができ、それだけ土の締圧を良好なものとすることができると共に回転整畦体１３の垂直方向の高さを回転整畦体の回転軸線を水平方向に配置した構造と対比して低くすることができ、それだけ装置全体の機高を低くすることができて小型化を図ることができ、特に、回転整畦体１３の側面整畦部１４と上面整畦部１５とを着脱機構２５により着脱することができ、図９の如く、上面整畦部１５を取り外すことにより、土手や築堤等の法面Ｋの締圧作業を行うことができ、この場合、側部カバー部材１１及び削土機構３６の削土ロータ４０を保持アーム３８の上昇退避位置に保持させることとなり、又、この場合、図８の如く、側面整畦部１４としての側面整畦分体１５ａ・１５ｂのうちの側面整畦分体１５ｂのみを取り外すこともでき、従って、地方により異なる整畦すべき畦の上面の幅や高さに対応することができると共に畦に限らず、土手や築堤の法面の締圧作業も行うことができ、それだけ作業の融通性を高めることができる。
【００２０】
又、この場合、削土機構３６により旧畦面を予め削土でき、この削土された畦面上に盛土機構４により盛土することになるから、旧畦土と盛土との結着性を高めることができ、それだけ強固な畦を得ることができる。
【００２１】
この場合、上記回転整畦体１３としての畦Ｗの一方側面Ｗ2を締圧可能な側面整畦部１４の外周面の外方端縁周部の下方位置に逸失防止板２６を設けているから、進行方向後方への盛土の逸失を防ぐことができ、それだけ回転整畦体としての側面整畦部１４の前方位置への盛土の量を確保することができ、旧畦の一方側面への盛土の締圧を良好に行うことができる。
【００２２】
又、この場合、回転整畦体１３を上下調節させる上下調節機構１９を設けているので、畦の高さに応じて上下調節することができ、それだけ地方や場所により相異する畦の高さに対応することができる。
【００２３】
又、この場合、整畦機構１２により生ずる機枠３に対しての整畦反力を受ける反力受け体３０をもつ反力受け機構２７を設けているので、締圧整畦に伴う整畦反力を確実に受けることができ、整畦機構１２による締圧整畦を良好に行うことができ、それだけ堅牢な畦を得ることができる。
【００２４】
又、この場合、上記反力受け体３０は上下調節機構２８により上下調節自在に設けられているので、反力受け体３０の下部の圃場Ｍ内への穿入度合いを調節することができ、更に、この場合回転整畦体１３に過大な反力が掛かった場合には逃動機構２９によって、機枠側が逃動するように設けられているので、それだけ良好な整畦進行を確保することができる。
【００２５】
尚、本発明は上記実施の形態例に限られるものではなく、例えば盛土機構４として、畦造成方向に対して交差する方向の回転軸線をもつ回転ロータを採用することもでき、回転機構１６として油圧モータを採用することもでき、又、着脱機構２５の構造として六角軸部と六角穴とによる構造をスプライン構造としたり、他の回り止め構造を採用したり、ネジ機構、その他の構造を採用することもでき、側面整畦部１４の形状や上面整畦部１５の形状及び数等は適宜変更して設計されるものである。
【００２６】
また上記実施の形態例における回転整畦体１３を油圧式や偏心ウエイト方式の振動機構により振動させたり、又、クランク方式や油圧方式からなる畦叩き機構により畦叩き運動させる付加構造を採用することもある。
【００２７】
【発明の効果】
本発明は上述の如く、請求項１記載の発明にあっては、走行機体を畦に沿って走行すると、一方では盛土機構が泥土を旧畦上に盛り上げ、カバー部材は泥土飛散を防止し、跳ね上げられた泥土は外方飛散を防がれて自重落下し、他方では整畦機構が駆動され、側面整畦部は畦の一方側面を締圧整畦すると共に上面整畦部は畦の上面を締圧整畦することができ、構造を簡素化することができると共に回転整畦体の回転接触により畦の一方側面及び畦の上面を円滑に締圧整畦することができ、かつ、回転整畦体の回転軸線を畦の一方側面の側方から畦側へ斜め上方に向かう所定角度の上向き方向に配置しているので、回転整畦体の回転軸線を水平方向に配置した構造と対比すると、回転整畦体の進行方向前側の外周面によりなされる畦の一方側面への土の押し付け送り長さを長くすることができ、それだけ土の締圧を良好なものとすることができると共に回転整畦体の垂直方向の高さを回転整畦体の回転軸線を水平方向に配置した構造と対比して低くすることができ、それだけ装置全体の機高を低くすることができて小型化を図ることができ、かつ、上記回転整畦体の側面整畦部の外周面の外方端縁周部と上記カバー部材の後面との間からの盛土の逸失を防ぐ逸失防止板を設けているから、進行方向後方への盛土の逸失を防ぐことができ、それだけ回転整畦体としての側面整畦部の前方位置への盛土の量を確保することができ、旧畦の一方側面への盛土の締圧を良好に行うことができる。
【００２８】
又、請求項２記載の発明にあっては、回転整畦体の側面整畦部と上面整畦部とを着脱機構により着脱することができ、上面整畦部を取り外すことにより、土手や築堤等の法面の締圧作業を行うことができ、従って、地方により異なる整畦すべき畦の上面の幅や高さに対応することができると共に畦に限らず、土手や築堤の法面の締圧作業も行うことができ、それだけ作業の融通性を高めることができる。
【００２９】
以上の如く、所期の目的を充分達成することができる。
【図面の簡単な説明】
【図１】本発明の実施の形態例の全体側面図である。
【図２】本発明の実施の形態例の全体平断面図である。
【図３】本発明の実施の形態例の部分側面図である。
【図４】本発明の実施の形態例の部分側断面図である。
【図５】本発明の実施の形態例の後面図である。
【図６】本発明の実施の形態例の前面図である。
【図７】本発明の実施の形態例の部分拡大後面図である。
【図８】本発明の実施の形態例の他の部分拡大後面図である。
【図９】本発明の実施の形態例の他の部分拡大後面図である。
【符号の説明】
Ｗ  畦
Ｗ1  上面
Ｗ2  一方側面
θ  所定角度
Ｐ1  回転軸線
１  走行機体
２  連結機構
３  機枠
４  盛土機構
１０  カバー部材
１２  整畦機構
１３  回転整畦体
１４  側面整畦部
１５  上面整畦部
２５  着脱機構
２６  逸失防止板
３６  削土機構
【図１】
0003622164.tif 000002
【図２】
0003622164.tif 000003
【図３】
0003622164.tif 000004
【図４】
0003622164.tif 000005
【図５】
0003622164.tif 000006
【図６】
0003622164.tif 000007
【図７】
0003622164.tif 000008
【図８】
0003622164.tif 000009
【図９】
0003622164.tif 000010